(57)【要約】【課題】炊飯器の蓋に着脱自在に取付けられた放熱板セットの取付け忘れを防止する放熱板セット検知装置を、電気的な検知手段により、かつ低コストで実現することである。【解決手段】炊飯器の蓋の下面に着脱自在に取付けられた放熱板セット８の有無を検知し、該放熱板セット８の取付け忘れを検知した際に所要の報知を行うようにした炊飯器の放熱板セット検知装置において、リミットスイッチ２３等の機械的な検知スイッチを上記蓋内部に設けるとともに、その検知スイッチの作動アーム３４に対向した蓋の一部に穴２４を設け、その穴２４に上記作動アームの３４の押圧部材１９を上下動自在に挿通し、該押圧部材１９の挿通部分をパッキン部材２１によりシールするとともに、その押圧部材１９を下向きに付勢するコイルばね２２を設けた構成とした。【選択図】　図３
2004033426.tif 000002
【特許請求の範囲】
【請求項１】
炊飯器の蓋の下面に着脱自在に取付けられた放熱板セットの有無を検知し、該放熱板セットの取付け忘れを検知した際に所要の報知を行うようにした炊飯器の放熱板セット検知装置において、機械的な検知スイッチを上記蓋内部に設けるとともに、その検知スイッチの作動アームに対向した上記蓋の一部に穴を設け、その穴に上記作動アームの押圧部材を上下動自在に挿通し、該押圧部材を気密を保持して挿通する気密保持手段と、該押圧部材を下向きに付勢する付勢手段を設け、上記放熱板セットの取付け時に該押上部材を押上げて上記検知スイッチを作動させることを特徴とする炊飯器の放熱板セット検知装置。
【請求項２】
上記押圧部材の気密保持手段として、上記穴の下面をシールするパッキン部と、上記付勢手段としてのコイルばねを収納する柔軟な袋状収納部とを一体化したパッキン部材を用いたことを特徴とする請求項１に記載の炊飯器の放熱板セット検知装置。
【請求項３】
上記のコイルばねを上記パッキン部と上記押圧部材のばね受け部との間に介在したことを特徴とする請求項２に記載の炊飯器の放熱板セット検知装置。
【請求項４】
上記押圧部材の気密保持手段として、上記穴の下面において押圧部材の回りに装着され、かつ該押圧部材のＯリング受け部に支持されたＯリングを用い、上記付勢手段として該押圧部材のばね受け部に支持されたコイルばねを用いたことを特徴とする請求項１に記載の炊飯器の放熱板セット検知装置。
【発明の詳細な説明】
【０００１】
【発明の属する技術分野】
この発明は、炊飯器（炊飯ジャーを含む）の放熱板セット検知装置に関するものである。
【０００２】
【従来の技術】
炊飯器の蓋の内面には、結露防止等の目的で蓋ヒーターが装着され、その蓋ヒーターの熱を炊飯器本体側に放散させるための放熱板セットが蓋下面に着脱自在に取付けられる。
【０００３】
この放熱板セットを手入れ等のために取り外したのち、取付けを失念して蓋を閉め炊飯を行うと、放熱板セットに装着された蓋パッキンによるシール作用が発揮されない不都合が生じる。このため、放熱板セットの取付け忘れを防止するために、放熱板セットを取付けない状態では、蓋フックが突き出したままになり、蓋が閉鎖されないようにして、使用者に放熱板セットの取付け忘れを報知するようにすることが、早い時期から行われていた。
【０００４】
また、近年では、放熱板セットの取付け忘れを近接スイッチにより検知し、蓋を閉鎖しても近接スイッチがオンにならない場合は炊飯を開始せず、所要の報知を行うようにすることも知られている（特開平１１−５６６２０号公報、特開２００１−３２７３９９号公報参照）。
【０００５】
【発明が解決しようとする課題】
前述のように、放熱板セットの取付け忘れがあった際に蓋フックを突き出したままとする報知手段は、機械的な機構のみで構成でき電気的手段が不要である利点があるが、蓋が開放状態となるので炊飯器本体内部にほこりが侵入する懸念があるとともに、体裁もよくない。また、蓋が開放する分だけ炊飯器の上方にスペースが必要となる問題もある。
【０００６】
一方、近接スイッチを用いるものは、放熱板セットの取付け忘れを電気的に検知して報知できるので、一応上記の問題点は解消されているが、近接スイッチは、これと対に磁石が必要となるので、リミットスイッチ等の機械的変位によりオンオフされるスイッチに比べコスト高となる問題がある。
【０００７】
そこで、この発明は、放熱板セットの取付け忘れを電気的に検知し、しかも低コストで実現できる放熱板セット検知装置を提供することを課題とする。
【０００８】
【課題を解決するための手段】
上記の課題を解決するために、この発明は、炊飯器の蓋の下面に着脱自在に取付けられた放熱板セットの有無を検知し、該放熱板セットの取付け忘れを検知した際に所要の報知を行うようにした炊飯器の放熱板セット検知装置において、機械的な検知スイッチを上記蓋内部に設けるとともに、その検知スイッチの作動アームに対向した上記蓋の一部に穴を設け、その穴に上記作動アームの押圧部材を上下動自在に挿通し、該押圧部材を気密を保持して挿通する気密保持手段と、該押圧部材を下向きに付勢する付勢手段を設け、上記放熱板セットの取付け時に該押上部材を押上げて上記検知スイッチを作動させるようにしたものである。
【０００９】
上記の構成によると、リミットスイッチ、タクトスイッチ等の機械的な検知スイッチにより放熱板セットの取付け忘れを検知することができるので、近接スイッチを用いるものに比べ低コストで提供することができる。
【００１０】
また、上記押圧部材の気密保持手段として、上記穴の下面をシールするパッキン部と、上記付勢手段としてのコイルばねを収納する柔軟な袋状収納部とを一体化したパッキン部材を用いた構成を採用することができる。この場合、上記のコイルばねを上記パッキン部と上記押圧部材のばね受け部との間に介在した構成を採用することができる。この構成によると、コイルばねが蒸気に触れないので、腐食が防止される。
【００１１】
なお、上記押圧部材の気密保持手段として、上記穴の下面において押圧部材の回りに装着され、かつ該押圧部材のＯリング受け部に支持されたＯリングを用い、上記付勢手段として該押圧部材のばね受け部に支持されたコイルばねを用いた構成をとることもできる。
【００１２】
【発明の実施の形態】
以下この発明の実施形態を添付図面に基づいて説明する。図１に示すように、実施形態の炊飯器は、炊飯器本体１に蓋２をヒンジ３で開閉自在に取付け、炊飯器本体１の内部に鍋４が着脱自在に収納される。蓋２の内部には調圧装置５が設けられるとともに、蓋ヒーター６がヒーター取付け板７の上面に取付けられる。また、蓋２の下面に放熱板セット８が着脱自在に取付けられる（図２参照）。
【００１３】
放熱板セット８は、金属製の放熱板９の外周縁に蓋リング１１を取付けるとともに、その放熱板９の外周縁と蓋リング１１との間に蓋パッキン１２（図３参照）を挟着している。蓋パッキン１２が鍋４の開口周縁に密着し、鍋４のシールを図る。上記の蓋リング１１には、蓋２のヒンジ３側に設けられた係合部１３、１３（図２参照）に係合する突出部１４、１４がヒンジ３側に設けられる。また、ヒンジ３側と反対側、即ち蓋フック１５側の左右両端部において取っ手１６、１６が設けられる。放熱板セット８の着脱はこの取っ手１６、１６を把持して行われる。
【００１４】
上記放熱板セット８の一方の突出部１４に接近した外周縁に対向して、蓋２の内面に放熱板セット検知装置１７が設けられる。この放熱板セット検知装置１７は、蓋２の内面に設けた下向き開放の凹部１８の内部に収納された押圧部材１９、パッキン部材２１、コイルばね２２及びリミットスイッチ２３により構成される。上記の凹部１８の底に穴２４が設けられ、その穴２４に押圧部材１９が上下動自在に挿通される。押圧部材１９は下端にばね受け部２５が設けられ、また、上半分には２本の脚部２６、２６が相互に接近離反する方向の弾性を持って設けられる。両脚部２６、２６の上端に抜け止め用の爪部２７、２７が設けられる。また、該押圧部材１９の下面中央部に小突起２８が設けられる。
【００１５】
上記のパッキン部材２１は、ゴム等の柔軟な弾性部材で形成され、上端に環状のパッキン部２９を有し、そのパッキン部２９の下面に袋状の収納部３１が形成される。その収納部３１の下端中央に前記の小突起２８が内面側に嵌合する凸部３２が設けられる。このパッキン部材２１は前記の凹部１８に挿入され、その穴２４の周りの凹部１８底面にパッキン部２９が押し当てられる。
【００１６】
上記の収納部３１の内部に前記の押圧部材１９とコイルばね２２を収納し、その内部において、コイルばね２２の下端部が押圧部材１９のばね受け部２５とパッキン部２９の内面との間に介在され、押圧部材１９を下向きに付勢する。押圧部材１９の脚部２６、２６の上端部がパッキン部２９の中央部の穴３３と凹部１８の穴２４を貫通して上方に突き出す。
【００１７】
上方に突き出した押圧部材１９の脚部２６、２６の一方の上端部を蓋２の内部に設けられたリミットスイッチ２３の作動アーム３４に対向させ、該押圧部材１９が上方に押上げられた際に、その脚部２６により作動アーム３４を押上げ（図３の実線の状態参照）、リミットスイッチ２３をオンにする。逆に、押圧部材１９が下方に下がると作動アーム３４も下がるため（同図２点鎖線）、リミットスイッチ２３がオフになる。
【００１８】
この発明の実施形態は以上のようなものであり、炊飯に際し、図２及び図３に示すように、蓋２の下面に放熱板セット８を取付けると、その一部によりパッキン部材２１の凸部３２の先端を押上げる。これにより、パッキン部材２１の凸部３２の周辺部が弾性変形し、押圧部材１９が押上げられてリミットスイッチ２３がオンになる。
【００１９】
リミットスイッチ２３がオンになると、図示省略の制御装置に入力され、蓋２を閉鎖したのち炊飯のスタートキー３７を押したとき、或いはタイマースイッチがオンになったときに炊飯が開始される。
【００２０】
上記とは逆に、放熱板セット８の取付けを失念して蓋２を閉めた場合は、炊飯開始の条件が充足されないため炊飯は開始されず、警告音等が報知される。
【００２１】
なお、炊飯に伴なって発生する蒸気は凹部１８の部分に到達するが、穴２４はパッキン部２９によりシールされるので、蒸気がリミットスイッチ２３側へ漏れることはない。また、コイルばね２２は収納部３１内に収納されているので、蒸気に触れることがない。従って、腐食が防止される。
【００２２】
次に、図５（ａ）に示した他の実施形態は、凹部１８の穴２４のシール部材としてＯリング３５を用いる。この場合の押圧部材１９は脚部２６、２６の下端部にＯリング受け部３６を設け、これにより上記のＯリング３５を支持し、該押圧部材１９が押上げられた際にＯリング３５を穴２４の周囲に押し当ててシールするようにしている。その他の構成及び作用は前記の場合と同様である。
【００２３】
また、図５（ｂ）に示した他の実施形態の場合は、リミットスイッチ２３の取付けを上下逆にし、押圧部材１９の一方の脚部２６を直角に曲げてその先端部を作動アーム３４の上方に臨ませている。この場合は、作動アーム３４が上方にあるとき（図の２点鎖線参照）がオン、押下げられたとき（同図実線参照）がオフとなる。
【００２４】
図５（ｃ）に示したものは、図５（ａ）の場合において、リミットスイッチ２３に代えてタクトスイッチ２３’を用いたものである。
【００２５】
【発明の効果】
以上のように、この発明によれば、リミットスイッチ、タクトスイッチ等の機械的スイッチを用いて放熱板セットの有無を検知するようにしたものであるから、電気的な検知を低コストで実現することができる。また、気密保持手段として、パッキン部と袋状の収納部が一体化されたものを用いることにより、コイルばねの腐食を防止することができる。
【図面の簡単な説明】
【図１】実施形態の断面図
【図２】同上の分解斜視図
【図３】同上の一部断面図
【図４】（ａ）同上の放熱板セット検知装置の一部断面図（ｂ）（ａ）図の分解斜視図
【図５】（ａ）〜（ｃ）　他の実施形態の一部断面図
【符号の説明】
１　炊飯器本体
２　蓋
３　ヒンジ
４　鍋
５　調圧装置
６　蓋ヒーター
７　ヒーター取付け板
８　放熱板セット
９　放熱板
１１　蓋リング
１２　蓋パッキン
１３　係合部
１４　突出部
１５　蓋フック
１６　取手
１７　放熱板セット検知装置
１８　凹部
１９　押圧部材
２１　パッキン部材
２２　コイルばね
２３　リミットスイッチ
２３’　タクトスイッチ
２４　穴
２５　ばね受け部
２６　脚部
２７　爪部
２８　小突起
２９　パッキン部
３１　収納部
３２　凸部
３３　穴
３４　作動アーム
３５　Ｏリング
３６　Ｏリング受け部
３７　スタートキー
【図１】
2004033426.tif 000003
【図２】
2004033426.tif 000004
【図３】
2004033426.tif 000005
【図４】
2004033426.tif 000006
【図５】
2004033426.tif 000007